(57)【要約】【課題】サスペンションワイヤの加工性を確保しつつ、周波数特性を良好に維持するとともに小型化を図る。【解決手段】光ピックアップ１０は対物レンズ７を保持するレンズホルダ２と支持ブロック３とを備え、レンズホルダ２のトラッキング方向Ｘにおける両側部と支持ブロック３のトラッキング方向Ｘにおける両側部とは、それぞれ４本のサスペンションワイヤ８０で連結されている。サスペンションワイヤ８０の長手方向の中間部は、サスペンションワイヤ８０の長手方向の両端部よりも断面積が大きい大断面積部８００８として形成され、サスペンションワイヤ８０の長手方向の両端部は、大断面積部８００８よりも断面積が小さい小断面積部８０１０として形成されている。【選択図】        図２
2006031864.tif 000002
【特許請求の範囲】
【請求項１】
光源から出射された光ビームを集光して光ディスクに照射する対物レンズを保持するレンズホルダと、
前記レンズホルダから前記光ディスクの厚さ方向であるフォーカス方向に対して直交する方向に間隔をおいて配置された支持ブロックと、
前記光ディスクの半径方向であるトラッキング方向における前記レンズホルダの両側部と前記トラッキング方向における前記支持ブロックの両側部とをそれぞれ連結し前記支持ブロックに対して前記レンズホルダを前記フォーカス方向と前記トラッキング方向とに移動可能に支持する複数のサスペンションワイヤとを備える光ピックアップであって、
前記サスペンションワイヤの長手方向の中間部は、前記レンズホルダの両側部と前記支持ブロックの両側部に連結される該サスペンションワイヤの長手方向の両端部よりも断面積が大きい大断面積部として形成されている、
ことを特徴とする光ピックアップ。
【請求項２】
前記サスペンションワイヤの長手方向の両端部は、前記大断面積部よりも断面積が小さい小断面積部として形成されていることを特徴とする請求項１記載の光ピックアップ。
【請求項３】
前記大断面積部の長手方向の寸法および前記小断面積部の長手方向の寸法の和に対する前記小断面積部の長手方向の寸法の割合が１０％以上９０％以下であることを特徴とする請求項２記載の光ピックアップ。
【請求項４】
前記サスペンションワイヤは前記フォーカス方向と平行な厚さと前記フォーカス方向と直交する方向の幅を有した断面矩形に形成され、前記大断面積部と小断面積部とは前記厚さが同一の寸法で形成されるとともに、前記幅が前記小断面積部よりも前記大断面積部の方が大きい寸法で形成されていることを特徴とする請求項２記載の光ピックアップ。
【請求項５】
前記厚さの寸法をＤ、前記幅の寸法をＷ、アスペクト比ＡをＤ：Ｗとしたとき、前記小断面積部はそのアスペクト比Ａが１：０．９以上１：１．３未満となるように形成されていることを特徴とする請求項４記載の光ピックアップ。
【請求項６】
前記サスペンションワイヤは前記フォーカス方向と平行な厚さと前記フォーカス方向と直交する方向の幅を有した断面矩形に形成され、前記サスペンションワイヤは均一な厚さの金属材料からエッチング加工またはプレス加工により形成されることを特徴とする請求項１記載の光ピックアップ。
【請求項７】
光ディスクを保持して回転駆動する駆動手段と、
前記駆動手段によって回転駆動する光ディスクに対し記録及びまたは再生用の光ビームを照射し、前記照射された光ビームの前記光記録媒体での反射光による反射光ビームを検出する光ピックアップとを有する光ディスク装置であって、
前記光ピックアップは、
光源から出射された光ビームを集光して光ディスクに照射する対物レンズを保持するレンズホルダと、
前記レンズホルダから前記光ディスクの厚さ方向であるフォーカス方向に対して直交する方向に間隔をおいて配置された支持ブロックと、
前記光ディスクの半径方向であるトラッキング方向における前記レンズホルダの両側部と前記トラッキング方向における前記支持ブロックの両側部とをそれぞれ連結し前記支持ブロックに対して前記レンズホルダを前記フォーカス方向と前記トラッキング方向とに移動可能に支持する複数のサスペンションワイヤとを備える光ピックアップであって、
前記サスペンションワイヤの長手方向の中間部は、前記レンズホルダの両側部と前記支持ブロックの両側部に連結される該サスペンションワイヤの長手方向の両端部よりも断面積が大きい大断面積部として形成されている、
ことを特徴とする光ディスク装置。
【請求項８】
前記サスペンションワイヤの長手方向の両端部は、前記大断面積部よりも断面積が小さい小断面積部として形成されていることを特徴とする請求項７記載の光ディスク装置。
【請求項９】
前記大断面積部の長手方向の寸法および前記小断面積部の長手方向の寸法の和に対する前記小断面積部の長手方向の寸法の割合が１０％以上９０％以下であることを特徴とする請求項８記載の光ディスク装置。
【請求項１０】
前記サスペンションワイヤは前記フォーカス方向と平行な厚さと前記フォーカス方向と直交する方向の幅を有した断面矩形に形成され、前記大断面積部と小断面積部とは前記厚さが同一の寸法で形成されるとともに、前記幅が前記小断面積部よりも前記大断面積部の方が大きい寸法で形成されていることを特徴とする請求項８記載の光ディスク装置。
【請求項１１】
前記厚さの寸法をＤ、前記幅の寸法をＷ、アスペクト比ＡをＤ：Ｗとしたとき、前記小断面積部はそのアスペクト比Ａが１：０．９以上１：１．３未満となるように形成されていることを特徴とする請求項１０記載の光ディスク装置。
【請求項１２】
前記サスペンションワイヤは前記フォーカス方向と平行な厚さと前記フォーカス方向と直交する方向の幅を有した断面矩形に形成され、前記サスペンションワイヤは均一な厚さの金属材料からエッチング加工またはプレス加工により形成されることを特徴とする請求項７記載の光ディスク装置。
【発明の詳細な説明】
【技術分野】
【０００１】
本発明は、光ディスクに信号の記録や再生を行う光ディスク装置および光ディスク装置に用いられる光ピックアップに関する。
【背景技術】
【０００２】
ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光ディスクに対して信号の記録あるいは再生あるいは記録および再生を行う光ピックアップがある。
このような光ピックアップとして、光源から出射された光ビームを集光して光ディスクに照射する対物レンズを保持するレンズホルダと、レンズホルダを光ディスクの厚さ方向であるフォーカス方向と光ディスクの半径方向であるトラッキング方向とに移動可能に支持する支持ブロックとを有し、レンズホルダのトラッキング方向における両側部と前記支持ブロックのトラッキング方向における両側部とをそれぞれ複数のサスペンションワイヤで連結し、フォーカスアクチュエータおよびトラッキングアクチュエータにより対物レンズをフォーカス方向およびトラッキング方向に移動させるものが提供されている（例えば特許文献１参照）。
【特許文献１】特開平１０−２６９５８４号公報
【発明の開示】
【発明が解決しようとする課題】
【０００３】
ところで、近年、光ピックアップの小型化に伴い、サスペンションワイヤの長さを短縮することが求められている。
一方、サスペンションワイヤの長さを短くすると、サスペンションワイヤのばね性が高くなる（曲がりにくくなる）。ばね性が高くなると、光ピックアップにおけるフォーカス方向、トラッキング方向の一次共振周波数が高くなり、前記アクチュエータの周波数特性が悪化してしまう。
そこで、サスペンションワイヤの長さを短くする場合には、サスペンションワイヤの断面積も小さくし、前記周波数特性を維持する必要がある。
ところが、サスペンションワイヤの断面積が小さくなるほど、サスペンションワイヤの加工が難しくなるという問題がある。例えば、サスペンションワイヤを、均一厚さを有する金属板材料からエッチング加工またはプレス加工することによって製造する場合、サスペンションワイヤの厚さの寸法をＤ、幅の寸法をＷ、アスペクト比ＡをＤ：Ｗとしたとき、アスペクト比Ａが１：１．３より小さくなる（１：１に近づく）と加工が難しくなる。
本発明はこのような事情に鑑みなされたもので、その目的はサスペンションワイヤの加工性を確保しつつ、周波数特性を良好に維持するとともに小型化を図る上で有利な光ピックアップおよび光ディスク装置を提供することにある。
【課題を解決するための手段】
【０００４】
上記目的を達成するために本発明は、光源から出射された光ビームを集光して光ディスクに照射する対物レンズを保持するレンズホルダと、前記レンズホルダから前記光ディスクの厚さ方向であるフォーカス方向に対して直交する方向に間隔をおいて配置された支持ブロックと、前記光ディスクの半径方向であるトラッキング方向における前記レンズホルダの両側部と前記トラッキング方向における前記支持ブロックの両側部とをそれぞれ連結し前記支持ブロックに対して前記レンズホルダを前記フォーカス方向と前記トラッキング方向とに移動可能に支持する複数のサスペンションワイヤとを備える光ピックアップであって、前記サスペンションワイヤの長手方向の中間部は、前記レンズホルダの両側部と前記支持ブロックの両側部に連結される該サスペンションワイヤの長手方向の両端部よりも断面積が大きい大断面積部として形成されていることを特徴とする。
また、本発明は、光ディスクを保持して回転駆動する駆動手段と、前記駆動手段によって回転駆動する光ディスクに対し記録及びまたは再生用の光ビームを照射し、前記照射された光ビームの前記光記録媒体での反射光による反射光ビームを検出する光ピックアップとを有する光ディスク装置であって、前記光ピックアップは、光源から出射された光ビームを集光して光ディスクに照射する対物レンズを保持するレンズホルダと、前記レンズホルダから前記光ディスクの厚さ方向であるフォーカス方向に対して直交する方向に間隔をおいて配置された支持ブロックと、前記光ディスクの半径方向であるトラッキング方向における前記レンズホルダの両側部と前記トラッキング方向における前記支持ブロックの両側部とをそれぞれ連結し前記支持ブロックに対して前記レンズホルダを前記フォーカス方向と前記トラッキング方向とに移動可能に支持する複数のサスペンションワイヤとを備える光ピックアップであって、前記サスペンションワイヤの長手方向の中間部は、前記レンズホルダの両側部と前記支持ブロックの両側部に連結される該サスペンションワイヤの長手方向の両端部よりも断面積が大きい大断面積部として形成されていることを特徴とする。
【発明の効果】
【０００５】
本発明によれば、サスペンションワイヤの長手方向の中間部に大断面積部を設けることで、サスペンションワイヤの加工性を確保でき、かつ、サスペンションワイヤの両端部の部分によって光ピックアップのアクチュエータの周波数特性を良好に維持することができる。
したがって、サスペンションワイヤの長手方向の寸法を縮小し光ピックアップおよび光ディスク装置の小型化を図る上で有利となる。
【発明を実施するための最良の形態】
【０００６】
本発明は、サスペンションワイヤの加工性を確保しつつ、周波数特性を良好に維持するとともに小型化を図るという目的を、サスペンションワイヤの長手方向の中間部を大断面積部として形成することで実現した。
【実施例１】
【０００７】
以下、本発明による光ピックアップ及び記録再生装置の実施の形態を図面に基づいて詳細に説明する。
図１は、本発明の実施例１における光ピックアップを組み込んだ光ディスク装置の構成を示すブロック図である。
【０００８】
図１において、光ディスク装置１０１は、ＣＤ−ＲやＤＶＤ±Ｒ、ＤＶＤ−ＲＡＭなどの光記録媒体としての光ディスク１０２を回転駆動する駆動手段としてのスピンドルモータ１０３と、光ピックアップ１０と、光ピックアップ１０をその半径方向に移動させる駆動手段としての送りモータ１０５とを備えている。ここで、スピンドルモータ１０３は、システムコントローラ１０７及びサーボ制御部１０９により所定の回転数で駆動制御される構成になっている。
【０００９】
信号変復調部及びＥＣＣブロック１０８は、信号処理部１２０から出力される信号の変調、復調及びＥＣＣ（エラー訂正符号）の付加を行う。光ピックアップ１０は、システムコントローラ１０７及びサーボ制御部１０９からの指令に従って回転する光ディスク１０２の信号記録面に対して光ビームを照射する。このような光照射により光ディスク１０２に対する光信号の記録、再生が行われる。
また、光ピックアップ１０は、光ディスク１０２の信号記録面からの反射光ビームに基づいて、後述するような各種の光ビームを検出し、各光ビームに対応する信号を信号処理部１２０に供給できるように構成されている。
【００１０】
前記信号処理部１２０は、各光ビームに対応する検出信号に基づいてサーボ制御用信号、すなわち、フォーカスエラー信号、トラッキングエラー信号、ＲＦ信号、ランニングＯＰＣ処理に必要なモニタ信号（以下Ｒ−ＯＰＣ信号という）、記録時における光ディスクの回転制御を行うために必要なＡＴＩＰ信号などを生成できるように構成されている。また、再生対象とされる記録媒体の種類に応じて、サーボ制御部１０９、信号変調及びＥＣＣブロック１０８等により、これらの信号に基づく復調及び誤り訂正処理等の所定の処理が行われる。
ここで、信号変調及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
【００１１】
また、信号変調及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
光ピックアップ１０には送りモータ１０５が接続され、送りモータ１０５の回転によって光ピックアップ１０が光ディスク１０２上の所定の記録トラックまで移動されるように構成されている。スピンドルモータ１０３の制御と、送りモータ１０５の制御と、光ピックアップ１０の対物レンズを保持するアクチュエータのフォーカス方向及びトラッキング方向の制御は、それぞれサーボ制御部１０９により行われる。
すなわち、サーボ制御部１０９は、ＡＴＩＰ信号に基づいてスピンドルモータ１０３の制御を行ない、フォーカスエラー信号およびトラッキングエラー信号に基づいてアクチュエータの制御を行う。
また、レーザ制御部１２１は、光ピックアップ１０におけるレーザ光源を制御するものである。
【００１２】
なお、ここでフォーカス方向Ｚとは光ディスク１０１の厚さ方向をいい、トラッキング方向Ｘとは光ディスク１０１の半径方向をいい、接線方向（タンジェンシャル方向）Ｙとは光ディスク１０１の円周の接線方向、すなわちフォーカス方向Ｚおよびトラッキング方向Ｘの双方と直交する方向をいう。
【００１３】
次に光ピックアップ１０について詳細に説明する。
図２は本発明の実施例１による光ピックアップの平面図、図３は実施例１による光ピックアップの斜視図、図４は図３を矢印Ａ方向から見た斜視図、図５は図３を矢印Ｂ方向から見た斜視図、図６は図５を矢印Ｃ方向から見た斜視図である。
【００１４】
光ピックアップ１０は、光を出射する光源としての半導体レーザと、光ディスク１０２の信号記録面からの反射光ビームを検出する光検出素子としてのフォトダイオードと、半導体レーザからの光を光ディスク１０１に導くとともに、前記反射光ビームを前記光検出素子に導く光学系とを有している。
光ピックアップ１０は、光ディス装置１００の筐体内で光ディスク１０１の半径方向に移動可能に設けられたマウント部材６０（図３参照）上に設けられている。
光ピックアップ１０は、前記光源から出射された光ビームを集光して光ディスクに照射する対物レンズ７を保持するレンズホルダ２と、レンズホルダ２から接線方向Ｙに（フォーカス方向Ｚと直交する方向に）間隔をおいて配置された支持ブロック３とを備え、対物レンズ７は、光ピックアップ１０の光学系の一部を構成している。
レンズホルダ２は、対物レンズ７の半径方向外側で対物レンズ７を囲むように設けられ、その中央部で対物レンズ７を保持している。レンズホルダ２の外周にはフォーカスコイル１１が巻回され、対物レンズ２の光軸を接線方向Ｙで挟むレンズホルダ２の両側箇所のそれぞれには、２つのトラッキングコイル１２がトラッキング方向Ｘに間隔をおいて取着されている。
レンズホルダ２のトラッキング方向Ｘの両側には、それぞれフォーカス方向Ｚに間隔をおいて４つのワイヤ支持部８が設けられている。
【００１５】
フォーカス方向Ｚでレンズホルダ２とマウント部材６０との間の箇所には、フォーカス方向Ｚに間隔をおいてヨークベース１８が設けられている。ヨークベース１８はマウント部材６０に取着され、ヨークベース１８には対物レンズ７の光軸が通る部分に開口が設けられている。
ヨークベース１８の接線方向Ｙの両側には一対のヨーク１８ａが立設され、各ヨーク１８ａの互いに対向する面にはトラッキングコイル１２に臨むように一対のマグネット１９が取着されている。また、一対のヨーク１８ａの間にはこれらヨーク１８ａとは別の一対のヨーク（不図示）がレンズホルダ２に設けられた一対の開口部（不図示）を介してフォーカスコイル１１の内側箇所に臨むように立設されている。
これらヨークベース１８、一対のヨーク１８ａ、マグネット１９によって磁気回路が構成されている。
【００１６】
支持ブロック３は、図３に示すように、トラッキング方向Ｘに沿った長さと、フォーカス方向Ｚに沿った高さとを有している。
トラッキング方向Ｘに沿った支持ブロック３の両側には、それぞれフォーカス方向Ｚに間隔をおいて２つのワイヤ支持部１４が設けられている。
レンズホルダ２のトラッキング方向Ｘにおける両側部と支持ブロック３のトラッキング方向Ｘにおける両側部とは、それぞれ４本のサスペンションワイヤ８０で連結されている。
具体的に説明すると、レンズホルダ２のトラッキング方向Ｘにおける両側の２つのワイヤ支持部８と、支持ブロック３のトラッキング方向Ｘにおける両側の２つのワイヤ支持部１４とはそれぞれ２本のサスペンションワイヤ８０で連結されている。
２本のサスペンションワイヤ８０はフォーカス方向Ｚに間隔をおいて互いに平行に設けられ、支持ブロック３に対してレンズホルダ２をフォーカス方向Ｚとトラッキング方向Ｘとに移動可能に支持している。
これら各サスペンションワイヤ８０は導電性および弾性を有する材質で構成されている。
各サスペンションワイヤ８０のうち、支持ブロック３側の端部は、不図示の配線部材を介して前記サーボ制御部１０９に接続され、サーボ制御部１０９からフォーカス用の駆動信号とトラッキング用の駆動信号が供給されるように構成されている。前記フォーカス用の駆動信号は４本のサスペンションワイヤ８０のうち２本のサスペンションワイヤ８０を介してフォーカスコイル１１に供給され、前記トラッキング用の駆動信号は４本のサスペンションワイヤ８０のうち残りの２本のサスペンションワイヤ８０を介してトラッキングコイル１２に供給される。
本実施例では、前記磁気回路とフォーカスコイル１１によって対物レンズ７をフォーカス方向Ｚに移動させるフォーカシングアクチュエータが構成され、前記磁気回路とトラッキングコイル１２によって対物レンズ７をトラッキング方向Ｘに移動させるトラッキングアクチュエータが構成されている。
【００１７】
次に光ピックアップ１０の動作について説明する。
サーボ制御部１０９から前記フォーカス用の駆動信号がフォーカスコイル１１に供給されると、フォーカスコイル１１に発生した磁界と各マグネット１９の磁界との磁気相互作用によって生じるフォーカス方向Ｚの力が、サスペンションワイヤ８０によってレンズホルダ２をフォーカス方向Ｚの中立位置に戻そうとする復元力に抗してレンズホルダ２に作用することによりレンズホルダ２がフォーカス方向Ｚに動かされる。
また、サーボ制御部１０９からトラッキングコイル１２に前記トラッキング用の駆動信号が供給されると、トラッキングコイル１２に発生した磁界と各マグネット１９の磁界との磁気相互作用によってトラッキング方向Ｘの力が、サスペンションワイヤ８０によってレンズホルダ２をトラッキング方向Ｘの中立位置に戻そうとする復元力に抗してレンズホルダ２に作用することによりレンズホルダ２がトラッキング方向Ｘに動かされる。
なお、前記フォーカス用の駆動信号がフォーカスコイル１１に供給されていない状態では、レンズホルダ２はサスペンションワイヤ８０の弾性によりフォーカス方向Ｚの中立位置に保持され、また、前記トラッキング用の駆動信号がトラッキングコイル１２に供給されていない状態では、レンズホルダ２はサスペンションワイヤ８０の弾性によりトラッキング方向Ｘの中立位置に保持される。
【００１８】
次に本発明の特徴部分であるサスペンションワイヤ８０について説明する。
本発明者らは、サスペンションワイヤ８０について様々な鋭意研究を行い、それらの研究のうちの一つとして応力分布についての解析を行なった。
その結果、フォーカシングアクチュエータおよびトラッキングアクチュエータにより対物レンズ７をフォーカス方向Ｚおよびトラッキング方向Ｘに動かした場合、サスペンションワイヤ８０が長手方向の全体にわたって均一に変形しているのではなく、主にサスペンションワイヤ８０の両端部が変形し、サスペンションワイヤ８０の中間部はあまり変形していないことを見出した。
そして、このことからサスペンションワイヤ８０の中間部がフォーカシングアクチュエータおよびトラッキングアクチュエータの共振周波数に与える影響が少なく、したがって、サスペンションワイヤ８０の中間部の断面積を両端部の断面積よりも大きく設定しても、フォーカシングアクチュエータおよびトラッキングアクチュエータの共振周波数を維持することが可能であることを見出し、サスペンションワイヤ８０を以下のように構成した。
【００１９】
図８〜図１６は本実施例の光ピックアップ１０におけるサスペンションワイヤ８０の斜視図、図１７（Ａ）は図８〜図１６のＡＡ線断面図、（Ｂ）は図８〜図１６のＢＢ線断面図である。
図８、図１７に示すように、サスペンションワイヤ８０の長手方向の中間部は、レンズホルダ２の両側部と支持ブロック１４の両側部に連結されるサスペンションワイヤ８０の長手方向の両端部よりも断面積が大きい大断面積部８００８として形成され、サスペンションワイヤ８０の長手方向の両端部は、大断面積部８００８よりも断面積が小さい小断面積部８０１０として形成されている。
また、一方の小断面積部８０１０の長手方向の端部にはレンズホルダ３のワイヤ支持部８に取着されるレンズホルダ側取着片８００２が設けられ、他方の小断面積部８０１０の長手方向の端部には支持ブロック３のワイヤ支持部１４に取着される支持ブロック側取着片８００４が設けられている。
図９に示すように、サスペンションワイヤ８０の大断面積部８００８と小断面積部８０１０は、本実施例では、フォーカス方向Ｚと平行な厚さＤとフォーカス方向Ｚと直交する方向の幅Ｗを有した断面矩形に形成され、大断面積部８００８と小断面積部８０１０はそれぞれ均一幅で構成されている。
そして、大断面積部８００８と小断面積部８０１０とは厚さＤが同一の寸法で形成されるとともに、小断面積部８０１０の幅Ｗ＝Ｗ１よりも大断面積部８００８の幅Ｗ＝Ｗ２の方が大きい寸法で形成され、小断面積部８０１０が大断面積部８００８の幅方向の中央に位置している。
また、アスペクト比Ａを厚さＤ：幅Ｗと定義したとき、小断面積部８０１０はそのアスペクト比Ａ１が１：０．９以上１：１．３未満となるように形成され、大面積部８００８はそのアスペクト比Ａ２が１：４となるように形成されている。
また、本実施例ではサスペンションワイヤ８０は均一な厚さの金属材料からエッチング加工またはプレス加工により形成されている。
【００２０】
本実施例のサスペンションワイヤ８０を用いたフォーカシングアクチュエータおよびトラッキングアクチュエータの周波数特性について測定を行った。
まず、図８〜図１６に示す本実施例のサスペンションワイヤ８０を用意した。これらサスペンションワイヤ８０は、大断面積部８００８の長手方向の寸法Ｌ２および小断面積部８０１０の長手方向の寸法Ｌ１の和に対する小断面積部８０１０の長手方向の寸法Ｌ１の割合α＝Ｌ１／（Ｌ１＋Ｌ２）（以下この割合αを大断面積部占有率という）を１０％〜９０％の範囲で１０％刻みで変えたものである。すなわち、図８に示したサスペンションワイヤ８０では、大断面積部占有率α＝Ｌ１／（Ｌ１＋Ｌ２）が１０％であり、図９〜図１５に示すサスペンションワイヤ８０に至るにつれて大断面積部占有率αが１０％刻みで増加し、図１６に示したサスペンションワイヤ８０では、大断面積部占有率α＝Ｌ１／（Ｌ１＋Ｌ２）が９０％となっている。
また、比較例として、図７、図１８に示すサスペンションワイヤ８０を用意した。図７のサスペンションワイヤ８０は、大断面積部占有率αが０％の場合、すなわちサスペンションワイヤ８０全体が小断面積部８０１０で構成されているものを示し、図１８のサスペンションワイヤ８０は、大断面積部占有率αが１００％の場合、すなわちサスペンションワイヤ８０全体が大断面積部８００８で構成されているものを示している。
そして、これら図８〜図１６に示す本実施例のサスペンションワイヤ８０および図７、図１８に示すサスペンションワイヤ８０について周波数変動率βの測定を行った。
図１９（Ａ）はサスペンションワイヤ８０の大断面積部占有率αに対するフォーカシングアクチュエータおよびトラッキングアクチュエータの周波数特性の周波数変動率βを示す線図である。図１９（Ｂ）は図１９（Ａ）の縦軸の範囲をより広くとった線図である。なお、周波数変動率βは大断面積部占有率αが０％の場合を１００％としている。
また、図１９（Ａ）、（Ｂ）において、◇印はサスペンションワイヤ８０のフォーカス方向Ｚにおける一次共振周波数の周波数変動率を示し、□印はサスペンションワイヤ８０のトラッキング方向Ｘにおける一次共振周波数の周波数変動率を示し、△印はサスペンションワイヤ８０のねじれ方向（ローリング方向）における一次共振周波数の周波数変動率を示している。なお、サスペンションワイヤ８０のねじれ方向とは、対物レンズ７の光軸が傾く方向である。
図１９（Ａ）に示すように、大断面積部占有率αが０％〜１００％まで変化すると、これら３つの一次共振周波数は指数関数的に上昇する傾向を有していることがわかる。
具体的には、大断面積部占有率αが９０％以下の範囲では、各一次共振周波数の周波数変動率βは何れも２００％を下回っており、フォーカスサーボおよびトラッキングサーボのサーボ制御を良好に行う上でほぼ問題がないのに対して、大断面積部占有率αが９０％を超えると、各一次共振周波数は急激に上昇してそれぞれ周波数変動率βが２００％を超えており、フォーカスサーボおよびトラッキングサーボのサーボ制御を良好に行うことが困難になっている。
これらのことから、大断面積部占有率αが１０％以上９０％以下であれば、各一次共振周波数の周波数変動率を２００％未満程度に抑制することができ、サスペンションワイヤ８０に大断面積部８００８と小断面積部８０１０を設けても、アクチュエータの周波数特性を維持することができ実用上問題がないことがわかる。
【００２１】
本実施例によれば、サスペンションワイヤ８０の長手方向の中間部を、レンズホルダ２の両側部と支持ブロック３の両側部に連結される該サスペンションワイヤ８０の長手方向の両端部よりも断面積が大きい大断面積部８００８として形成した。
したがって、大断面積部８００８を設けることでサスペンションワイヤ８０に占める小断面積部８０１０の割合が少なくなり、これにより小断面積部８０１０の加工性を確保できる。
また、サスペンションワイヤ８０の両端部の小断面積部８０１０によってアクチュエータの周波数特性を良好に維持することができるので、サスペンションワイヤ８０の長手方向の寸法を縮小して光ピックアップ１０の小型化を図る上で有利となる。
また、本実施例のように、サスペンションワイヤ８０を均一な厚さの金属材料からエッチング加工またはプレス加工により形成する場合、アスペクト比が１：１．３未満であるとサスペンションワイヤ８０にねじれが生じ加工性を確保することが困難となるが、本実施例では、例えばアスペクト比が１：４の大断面積部８００８を設けることにより小断面積部８０１０のエッチング加工またはプレス加工による加工性を確保でき、ねじれを生じることなくサスペンションワイヤ８０を加工することが可能となる。
【００２２】
なお、本実施例では、大断面積部８００８が均一幅で構成されている場合について説明したが、大断面積部８００８の幅が長手方向に沿って変化してもよく、例えば大断面積部８００８に１つあるいは複数のくびれ部が形成されていてもよい。
また、本実施例では、サスペンションワイヤ８０の断面形状が矩形である場合について説明したが、サスペンションワイヤ８０の断面形状は矩形に限定されるものではなく、例えば、正円、楕円、三角形、多角形などであってもよい。
【図面の簡単な説明】
【００２３】
【図１】実施例１における光ピックアップを組み込んだ光ディスク装置の構成を示すブロック図である。
【図２】実施例１による光ピックアップの平面図である。
【図３】実施例１による光ピックアップの斜視図である。
【図４】図３を矢印Ａ方向から見た斜視図である。
【図５】図３を矢印Ｂ方向から見た斜視図である。
【図６】図５を矢印Ｃ方向から見た斜視図である。
【図７】大断面積部占有率αが０％のサスペンションワイヤ８０の斜視図である。
【図８】大断面積部占有率αが１０％のサスペンションワイヤ８０の斜視図である。
【図９】大断面積部占有率αが２０％のサスペンションワイヤ８０の斜視図である。
【図１０】大断面積部占有率αが３０％のサスペンションワイヤ８０の斜視図である。
【図１１】大断面積部占有率αが４０％のサスペンションワイヤ８０の斜視図である。
【図１２】大断面積部占有率αが５０％のサスペンションワイヤ８０の斜視図である。
【図１３】大断面積部占有率αが６０％のサスペンションワイヤ８０の斜視図である。
【図１４】大断面積部占有率αが７０％のサスペンションワイヤ８０の斜視図である。
【図１５】大断面積部占有率αが８０％のサスペンションワイヤ８０の斜視図である。
【図１６】大断面積部占有率αが９０％のサスペンションワイヤ８０の斜視図である。
【図１７】サスペンションワイヤ８０の断面図である。
【図１８】大断面積部占有率αが１００％のサスペンションワイヤ８０の斜視図である。
【図１９】サスペンションワイヤ８０の大断面積部占有率αに対するフォーカシングアクチュエータおよびトラッキングアクチュエータの周波数特性の変動率βを示す線図である。
【符号の説明】
【００２４】
２……レンズホルダ、３……支持ブロック、７……対物レンズ、１０……光ピックアップ、８０……サスペンションワイヤ、８００８……大断面積部、８０１０……小断面積部、１０１……光ディスク装置、１０２……光ディスク。
【図１】
2006031864.tif 000003
【図２】
2006031864.tif 000004
【図３】
2006031864.tif 000005
【図４】
2006031864.tif 000006
【図５】
2006031864.tif 000007
【図６】
2006031864.tif 000008
【図７】
2006031864.tif 000009
【図８】
2006031864.tif 000010
【図９】
2006031864.tif 000011
【図１０】
2006031864.tif 000012
【図１１】
2006031864.tif 000013
【図１２】
2006031864.tif 000014
【図１３】
2006031864.tif 000015
【図１４】
2006031864.tif 000016
【図１５】
2006031864.tif 000017
【図１６】
2006031864.tif 000018
【図１７】
2006031864.tif 000019
【図１８】
2006031864.tif 000020
【図１９】
2006031864.tif 000021